(57)【要約】【課題】地域に応じて記録済みの複数の放送コンテンツから最適な放送コンテンツを抽出して提示し得る放送コンテンツ処理装置を提供する。【解決手段】購入時または引越し等による新たな地域への設置時にＲＡＭ６３に地域を表す情報を登録しておき、制御部６１の管理機能６１３により、デジタル記録機器上で記録された各チャンネルの放送コンテンツを各放送コンテンツに付随するネットワークＩＤ及びサービスＩＤに対応付けて管理し、希望のチャンネルの放送コンテンツの選択表示要求が発生した際に、ＲＡＭ６３に登録されている地域情報と、デジタル記録機器に記録されているネットワークＩＤ及びサービスＩＤとに基づいて、居住地域で放送されている最適な放送コンテンツを選択して映像表示器１４に一覧表示するようにしている。【選択図】      図２
2006094436.tif 000002
【特許請求の範囲】
【請求項１】
放送サービスエリアに応じてチャンネルが割り当てられる放送ネットワークにより送信される放送コンテンツを受信するとともに、記録指示入力に応じて任意のチャンネルの放送コンテンツを記録媒体に記録する放送コンテンツ処理装置であって、
自装置が設置される地域を表す位置情報を当該自装置にセットする設定手段と、
前記複数チャンネルの放送コンテンツの中から任意チャンネルの放送コンテンツの放送事業者を表す第１の識別情報、及び当該放送コンテンツの内容を表す第２の識別情報を選択的に取得する識別情報取得手段と、
前記記録媒体上の各チャンネルごとの放送コンテンツを前記第１及び第２の識別情報に対応付けて管理し、要求されるチャンネル、セットされた位置情報及び前記第１及び第２の識別情報に基づいて当該記録媒体から該当する放送コンテンツを読み出して提示する制御手段とを具備したことを特徴とする放送コンテンツ処理装置。
【請求項２】
前記放送コンテンツに当該コンテンツの第１及び第２の識別情報が付加されているとき、
前記制御手段は、前記放送コンテンツの受信時に得られる第１及び第２の識別情報に基づいて前記記録媒体上の放送コンテンツを管理することを特徴とする請求項１記載の放送コンテンツ処理装置。
【請求項３】
さらに、外部機器と接続するためのインタフェースを備え、
前記制御手段は、前記インタフェースを通じて前記外部機器との間で放送コンテンツ及び当該放送コンテンツの第１及び第２の識別情報の受け渡しを行うことを特徴とする請求項１記載の放送コンテンツ処理装置。
【請求項４】
放送サービスエリアに応じてチャンネルが割り当てられる放送ネットワークにより送信される放送コンテンツを受信するとともに、記録指示入力に応じて任意のチャンネルの放送コンテンツを記録媒体に記録する放送コンテンツ処理装置の制御方法であって、
前記放送コンテンツ処理装置が設置される地域を表す位置情報を当該放送コンテンツ処理装置にセットし、
前記複数チャンネルの放送コンテンツの中から任意チャンネルの放送コンテンツの放送事業者を表す第１の識別情報、及び当該放送コンテンツの内容を表す第２の識別情報を選択的に取得し、
前記記録媒体上の各チャンネルごとの放送コンテンツを前記第１及び第２の識別情報に対応付けて管理し、要求されるチャンネル、セットされた位置情報及び前記第１及び第２の識別情報に基づいて当該記録媒体から該当する複数の放送コンテンツを読み出して提示することを特徴とする放送コンテンツ処理装置の制御方法。
【発明の詳細な説明】
【技術分野】
【０００１】
この発明は、例えば家庭内のテレビジョン受信機またはビデオテープレコーダのように、放送サービスエリアに応じてチャンネルが割り当てられた放送ネットワークにより放送される放送コンテンツを受信し、必要に応じて記録する放送コンテンツ処理装置及び放送コンテンツ処理装置の制御方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行わせたり、任意のデジタル記録機器を指定して番組の再生を行わせたりすることができる。また、インターネット受信機能を備えたデジタル放送受信装置も提案されている（例えば、特許文献１）
【特許文献１】特開平１０−１３６２７５号公報。
【発明の開示】
【発明が解決しようとする課題】
【０００５】
ところで、上記放送システムにおける各放送局に割り当てられるチャンネル番号は地域ごとに異なるため、上記デジタル放送受信装置において、単純にチャンネル番号をキーとして特定の放送局で放送された記録済みコンテンツを検索した場合には、以前の居住地域で放送された別放送局の録画済みコンテンツが検索結果として一覧表示されることになる。別放送局の録画済みコンテンツまで表示されることは、ユーザにとっては、見づらい表示画面となり、このため、ユーザからは居住地域に密着した放送コンテンツのみ一覧表示することが強く望まれている。
【０００６】
この発明の目的は、地域に応じて記録済みの複数の放送コンテンツから最適な放送コンテンツを抽出して提示し得る放送コンテンツ処理装置及び放送コンテンツ処理方法を提供することにある。
【課題を解決するための手段】
【０００７】
この発明は、上記目的を達成するために、以下のように構成される。
【０００８】
放送サービスエリアに応じてチャンネルが割り当てられる放送ネットワークにより送信される放送コンテンツを受信するとともに、記録指示入力に応じて任意のチャンネルの放送コンテンツを記録媒体に記録する放送コンテンツ処理装置であって、自装置が設置される地域を表す位置情報を当該自装置にセットする設定手段と、複数チャンネルの放送コンテンツの中から任意チャンネルの放送コンテンツの放送事業者を表す第１の識別情報、及び任意チャンネルの放送コンテンツの内容を表す第２の識別情報を選択的に取得する識別情報取得手段と、記録媒体上の各チャンネルごとの放送コンテンツを第１及び第２の識別情報に対応付けて管理し、要求されるチャンネル、セットされた位置情報及び第１及び第２の識別情報に基づいて当該記録媒体から該当する放送コンテンツを読み出して提示する制御手段とを備えるようにしたものである。
【０００９】
この構成によれば、記録媒体上で記録された各チャンネルの放送コンテンツを第１及び第２の識別情報に対応付けて管理しているので、希望のチャンネルの放送コンテンツの選択要求が発生した際に、自装置の位置と、第１及び第２の識別情報とに基づいて、居住地域で放送されている最適な放送コンテンツが選択される。このため、居住地域内で放送されている希望チャンネルの放送コンテンツを候補として多く選択し、一方居住地域以外の放送コンテンツについては選択候補から外すことが可能となり、これにより任意の放送コンテンツを決定する際の効率をさらに高めることができる。
【００１０】
放送コンテンツに当該コンテンツの第１及び第２の識別情報が付加されているとき、制御手段は、放送コンテンツの受信時に得られる第１及び第２の識別情報に基づいて記録媒体上の放送コンテンツを管理することを特徴とする。  
この構成によれば、放送コンテンツに付加されている第１及び第２の識別情報を利用して、放送コンテンツを記録媒体に記録して自動的に管理することができ、これによりユーザが手操作で放送コンテンツを第１及び第２の識別情報に対応付けて管理する必要がなくなる。
【００１１】
さらに、外部機器と接続するためのインタフェースを備え、制御手段は、インタフェースを通じて外部機器との間で放送コンテンツ及び当該放送コンテンツの第１及び第２の識別情報の受け渡しを行うことを特徴とする。  
この構成によれば、複数の放送コンテンツを外部機器に備えられた記録媒体に集約して記録して管理しておくことができるので、これにより、放送コンテンツ処理装置自体のメモリの記憶容量を削減することができる。
【発明の効果】
【００１２】
以上詳述したようにこの発明によれば、地域に応じて記録済みの複数の放送コンテンツから最適な放送コンテンツを抽出して提示し得る放送コンテンツ処理装置及び放送コンテンツ処理方法を提供することができる。
【発明を実施するための最良の形態】
【００１３】
以下、この発明の実施形態について図面を参照して詳細に説明する。  
（第１の実施形態）  
図１は、この発明の第１の実施形態で説明するデジタルテレビジョン放送受信装置１１の外観と、このデジタルテレビジョン放送受信装置１１を中心として構成されるネットワークシステムの一例を概略的に示している。
【００１４】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１５】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１６】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１７】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１８】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１９】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２０】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２１】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２２】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２３】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２４】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２５】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２６】
そして、このチューナ４５で選局された放送信号は、ＰＳＫ（Phase Shift Keying）復調器４６に供給されて、デジタルの映像信号及び音声信号に復調された後、信号処理部４７に出力される。
【００２７】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２８】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２９】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３０】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３１】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３２】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３３】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３４】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３５】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３６】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３７】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３８】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３９】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４０】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４１】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４２】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４３】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４４】
ところで、この第１の実施形態では、この発明に係わる機能として、制御部６１に、位置登録機能６１１と、ＩＤ取得機能６１２と、管理機能６１３とが設けている。位置登録機能６１１は、例えば装置購入時や引越し等による設置時に、ユーザによる入力操作により位置登録画面を映像表示器１４に表示し、操作部１６またはリモートコントローラ１７により例えば郵便番号等を入力された場合に、その郵便番号に該当する地域情報をＲＡＭ６３に登録する。
【００４５】
ＩＤ取得機能６１２は、デジタル映像信号を含む放送コンテンツを録画する場合に、その放送コンテンツに含まれるネットワークＩＤ及びサービスＩＤを抽出する。なお、ネットワークＩＤは放送コンテンツの放送事業者を表す識別情報であり、サービスＩＤは放送コンテンツのジャンル等を表す識別情報である。これらＩＤは非圧縮のメタデータとして放送コンテンツに付加される。
【００４６】
管理機能６１３は、例えばＨＤＤ２５に録画済みの各チャンネルごとの放送コンテンツをネットワークＩＤ及びサービスＩＤに対応付けて管理し、要求されるチャンネル、設定済みの地域情報及びネットワークＩＤ及びサービスＩＤに基づいてＨＤＤ２５から該当する複数の放送コンテンツを読み出して、映像表示器１４に一覧表示する。
【００４７】
次に、上記構成における処理動作について説明する。  
図３は、デジタルテレビジョン放送受信装置１１の放送コンテンツを記録する動作を示すフローチャートである。ここでは、放送コンテンツを番組と称することとする。
【００４８】
すなわち、番組の記録が要求されることにより処理が開始されると、制御部６１は、放送信号から取得したＥＰＧ（Electronic Program Guide）情報に基づいて、番組表を映像表示器１４に表示させる（ステップＳＴ３ａ）。
【００４９】
そして、ユーザにより、表示された番組表に基づく所望の番組の記録予約設定が行われると、制御部６１は記録予約設定処理に移行する（ステップＳＴ３ｂ）。
【００５０】
続いて、制御部６１は、記録予約した設定時間に達した場合に、予約設定された番組を予約設定されたＨＤＤ２５に記録するように、記録動作を実行する（ステップＳＴ３ｃ）。その後、制御部６１は、番組記録動作が正常に完了したか否かを判別し（ステップＳＴ３ｄ）、正常に完了したと判断された場合（ＹＥＳ）、記録番組に対応するネットワークＩＤ及びサービスＩＤをＨＤＤ２５に記録する（ステップＳＴ３ｅ）。
【００５１】
また、番組記録動作が正常に完了しなかったと判断された場合（ＮＯ）、制御部６１は、番組記録動作が正常に完了しなかった旨のメッセージを映像表示器１４に表示させて（ステップＳＴ３ｆ）、処理を終了する。
【００５２】
図４は、上記ＨＤＤ２５に記録された種々の番組の中から所望の番組を迅速に検索して再生する動作を説明するためのフローチャートである。
【００５３】
すなわち、処理が開始されると、ユーザによるリモートコントローラ１７の操作で、制御部６１は、図５に示すようなキーワード検索画面を映像表示器１４に表示させる（ステップＳＴ４ａ）。そして、このキーワード検索画面で、ジャンル、キーワード、日付、チャンネルの４つの項目が入力され、さらに「録画番組」キーが押下されると（ステップＳＴ４ｂ）、制御部６１は、ＲＡＭ６３に登録されている地域情報と、選択決定されたＨＤＤ２５に記録されているネットワークＩＤ及びサービスＩＤに基づき、図６に示すように、検索条件に対応した番組を検出して映像表示器１４に一覧表示する（ステップＳＴ４ｃ）。
【００５４】
そして、ユーザがリモートコントローラ１７のカーソルキーを操作して所望の番組を選択し、決定キーを押すと（ステップＳＴ４ｄ）、制御部６１は選択した番組が再生可能であるか否かを判別する（ステップＳＴ４ｅ）。
【００５５】
ここで、再生可能であると判断された場合（ＹＥＳ）、制御部６１はＨＤＤ２５から再生要求された番組の情報を読み出し、再生処理を実行する（ステップＳＴ４ｆ）。一方、再生可能でないと判断された場合（ＮＯ）、制御部６１は要求された番組の再生が不可能である旨のメッセージを映像表示器１４に表示させて、処理を終了する（ステップＳＴ４ｇ）。
【００５６】
以上のように上記第１の実施形態では、制御部６１により、ＨＤＤ２５上で記録された各チャンネルの放送コンテンツをそのネットワークＩＤ及びサービスＩＤに対応付けて管理しているので、希望のチャンネルの放送コンテンツの選択表示要求が発生した際に、ＲＡＭ６３に登録されている地域情報と、ＨＤＤ２５中のネットワークＩＤ及びサービスＩＤとに基づいて、居住地域で放送されている最適な放送コンテンツを選択して映像表示器１４に一覧表示するようにしている。
【００５７】
従って、居住地域内で放送されている希望チャンネルの放送コンテンツを候補として多く選択し、一方居住地域以外の放送コンテンツについては選択候補から外すことが可能となり、これにより任意の放送コンテンツを決定する際の効率をさらに高めることができる。よって、ユーザは、見やすい表示画面で所望の放送コンテンツを選択できる。
【００５８】
また、上記第１の実施形態によれば、放送コンテンツに付加されているネットワークＩＤ及びサービスＩＤを利用して、記録すべく放送コンテンツを指定のＨＤＤ２５に記録し、ネットワークＩＤ及びサービスＩＤに対応付けて自動的に管理するようにしているので、ユーザが手操作で放送コンテンツをネットワークＩＤ及びサービスＩＤに対応付ける必要がなくなる。
【００５９】
（第２の実施形態）  
図７は、この発明の第２の実施形態におけるデジタルテレビジョン放送受信装置１１の機能構成を示すブロック図である。なお、図７において、上記図２と同一部分には同一符号を付して詳細な説明を省略する。
【００６０】
すなわち、制御部６１には、別途に用意されるＤＶＤレコーダ７３を接続するためのインタフェース７４が設けられる。そして、制御部６１の管理機能６１３は、インタフェース７４を通じてＤＶＤレコーダ７３との間で録画すべく放送コンテンツ及び当該放送コンテンツのネットワークＩＤ及びサービスＩＤの授受を行う。
【００６１】
このように上記第２の実施形態であれば、記録すべく複数の放送コンテンツ及び放送コンテンツに付随するネットワークＩＤ及びサービスＩＤをＤＶＤレコーダ７３に集約して記録して管理しておくことができるので、これにより、ＨＤＤ２５の記憶容量を削減することができる。また、重要な放送コンテンツをＤＶＤレコーダ７３に記録しておき、重要でない放送コンテンツをＨＤＤ２５に記録しておくことも可能である。
【００６２】
（その他の実施形態）  
この発明は、上記各実施形態に限定されるものではない。例えば、各実施形態では、記録すべく放送コンテンツに含まれているネットワークＩＤ及びサービスＩＤを利用して放送コンテンツの管理を行う例について説明した。しかしこれに限ることなく、放送コンテンツにネットワークＩＤ及びサービスＩＤが含まれていない場合には、電話回線等を介して放送事業者にアクセスして放送事業者からネットワークＩＤ及びサービスＩＤを取得することも可能である。
【００６３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。  
【図面の簡単な説明】
【００６４】
【図１】この発明の第１の実施形態に係わるデジタルテレビジョン放送受信装置とそれを中心として構成されるネットワークシステムの一例を概略的に説明するために示す図。
【図２】同第１の実施形態におけるデジタルテレビジョン放送受信装置の主要な信号処理系を説明するために示すブロック構成図。
【図３】同第１の実施形態において、デジタルテレビジョン放送受信装置がデジタル記録機器に番組を記録する動作を説明するために示すフローチャート。
【図４】同第１の実施形態において、デジタルテレビジョン放送受信装置がデジタル記録機器から番組を再生する動作を説明するために示すフローチャート。
【図５】同第１の実施形態におけるデジタルテレビジョン放送受信装置のキーワード検索画面の一例を説明するために示す図。
【図６】同第１の実施形態におけるデジタルテレビジョン放送受信装置の特定の接続機器に記録された番組のうちキーワード検索された番組の一覧表示画面の一例を説明するために示す図。
【図７】この発明の第２の実施形態に係わるデジタルテレビジョン放送受信装置の主要な信号処理系を説明するために示すブロック構成図。
【符号の説明】
【００６５】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ、７３…ＤＶＤレコーダ、７４…インタフェース、６１１…位置登録機能、６１２…ＩＤ取得機能、６１３…管理機能。
【図１】
2006094436.tif 000003
【図２】
2006094436.tif 000004
【図３】
2006094436.tif 000005
【図４】
2006094436.tif 000006
【図５】
2006094436.tif 000007
【図６】
2006094436.tif 000008
【図７】
2006094436.tif 000009